(57)【特許請求の範囲】
【請求項１】
ＳＤＩ信号を処理するＳＤＩ機器であって、
前記ＳＤＩ機器の外部に前記ＳＤＩ信号を送出するためのＳＤＩ信号処理回路であるドライバと、
前記ＳＤＩ機器の外部に前記ＳＤＩ信号を送出するための出力端子と、
前記ドライバと前記出力端子との間に設けられ、電気信号の通過と遮断または減衰とを切り替える切替手段と、
前記切替手段を制御する制御手段とを備え、
前記制御手段が、前記出力端子に重畳されたＤＣ電圧が安定したと判定してから、前記切替手段の動作を電気信号の遮断または減衰から電気信号の通過に変更させることを特徴とするＳＤＩ機器。
【請求項２】
前記制御手段が、前記出力端子にＤＣ電圧が重畳されたことを検出してから所定の時間が経過した時点で、前記出力端子に重畳されたＤＣ電圧が安定したと判定することを特徴とする請求項１に記載のＳＤＩ機器。
【請求項３】
前記切替手段が、電気信号の通過と遮断とを切り替える開閉スイッチであることを特徴とする請求項１または請求項２に記載のＳＤＩ機器。
【請求項４】
前記切替手段が、電気信号の通過と減衰とを切り替える可変抵抗素子であることを特徴とする請求項１または請求項２に記載のＳＤＩ機器。
【請求項５】
前記ＳＤＩ機器の外部から前記ＳＤＩ信号を受け取るためのＳＤＩ信号処理回路であるレシーバと、
前記ＳＤＩ機器の外部から前記ＳＤＩ信号を受け取るための入力端子と、
前記レシーバと前記入力端子との間に設けられ、電気信号の通過と遮断または減衰とを切り替える前記切替手段とは別の切替手段とを備え、
前記制御手段が、前記出力端子及び前記入力端子に重畳されたＤＣ電圧が安定したと判定してから、前記切替手段及び前記別の切替手段の動作を電気信号の遮断または減衰から電気信号の通過に変更させることを特徴とする請求項１〜４のいずれか１項に記載のＳＤＩ機器。
【請求項６】
請求項１〜５のいずれか１項に記載のＳＤＩ機器を少なくとも一つ備え、ＳＤＩ信号電送ラインの少なくとも一部にＤＣ電力が重畳されることを特徴とするＳＤＩ信号伝送システム。
【発明の詳細な説明】
【技術分野】
【０００１】
本発明は、ＳＤＩ（Serial Digital Interface）信号を処理するＳＤＩ機器及びそれを備えたＳＤＩ信号伝送システムに関する。
【背景技術】
【０００２】
ＳＤＩ信号伝送システムは、非圧縮信号であるＳＤＩ信号を伝送するため、圧縮処理及び伸張処理による信号の遅延や劣化が無いという利点を有している。このような利点を活かしてＳＤＩ信号伝送システムは、従来から放送局のスタジオで用いられるカメラシステムなどに適用されていたが、近年では監視カメラを備える遠隔監視システムなどにも適用され始めており、普及が拡大している。
【先行技術文献】
【特許文献】
【０００３】
【特許文献１】特開２０１１−７７７４３号公報
【発明の概要】
【発明が解決しようとする課題】
【０００４】
特許文献１には、ＳＤＩ信号伝送ラインにＤＣ電力を重畳するＳＤＩ信号伝送システムが開示されている。ＳＤＩ信号伝送ラインにＤＣ電力を重畳するＳＤＩ信号伝送システムは、ＳＤＩ信号の伝送とＤＣ電力の搬送を１つの信号ケーブルで行うことができ、ケーブル数が減るため、利便性が高い。
【０００５】
しかしながら、ＳＤＩ信号伝送ラインにＤＣ電力を重畳するＳＤＩ信号伝送システムでは、ＤＣ電力が重畳されている状態のケーブルをＳＤＩ機器に接続した場合、すなわちＳＤＩ機器に対して活栓接続を行った場合、ＳＤＩ信号伝送ラインにラッシュ電圧が印加し、ラッシュ電圧がＳＤＩ機器内のＳＤＩ信号伝送ラインに配置されている直流阻止用コンデンサを通過してＳＤＩ機器内のＳＤＩ信号処理回路に到達してしまう。
【０００６】
ＳＤＩ信号処理回路がＳＤＩ機器の外部から送られてくるＳＤＩ信号を受け取るレシーバであれば、ＳＤＩ信号伝送ラインの電圧上昇に対する耐性が高いため、ラッシュ電圧が到達してもＳＤＩ信号処理回路が破損するおそれは低い。一方、ＳＤＩ信号処理回路がＳＤＩ機器の外部にＳＤＩ信号を送出するためのドライバであれば、ＳＤＩ信号伝送ラインの電圧上昇に対する耐性が低く、ラッシュ電圧が到達するとＳＤＩ信号処理回路が破損するおそれがある。
【０００７】
特許文献１で開示されているＳＤＩ信号伝送システムは、ＤＣ電力の重畳に対応していないＳＤＩ機器を誤って接続した場合でも、そのＳＤＩ機器が破損しないようにしているが、ＤＣ電力の重畳に対応しているＳＤＩ機器がラッシュ電圧によって破損することを防止するものではない。
【０００８】
そこで、本発明者は、活栓接続によるラッシュ電圧の印加でＳＤＩ機器が破損することを防止するための対策を検討した。本発明者は、第１の対策として、ＳＤＩ機器の外部にＳＤＩ信号を送出するためのＳＤＩ信号処理回路（ドライバ）の後段に、ＳＤＩ信号伝送ラインの電圧上昇に対する耐性が高いバッファアンプを設ける対策を考案し、第２の対策として、ドライバの後段に、５ＭＨｚ以上の信号を通過させるハイパスフィルタを設ける対策を考案した。
【０００９】
しかしながら、第１の対策には、バッファアンプの分だけ部品点数と消費電力が増加するという欠点があり、第２の対策には、ハイパスフィルタが５ＭＨｚ以上の信号（高周波信号に分類される信号のなかでは比較的低い周波数の信号）を通過させるハイパスフィルタであるためハイパスフィルタの部品が大きくなりＳＤＩ機器の小型化が困難になるという欠点がある。
【００１０】
本発明は、上記の状況に鑑み、活栓接続されても破損のおそれがない安価でかつ小型化が可能なＳＤＩ機器及びそれを備えたＳＤＩ信号伝送システムを提供することを目的とする。
【課題を解決するための手段】
【００１１】
上記目的を達成するために本発明に係るＳＤＩ機器は、前記ＳＤＩ機器の外部にＳＤＩ信号を送出するためのＳＤＩ信号処理回路であるドライバと、前記ＳＤＩ機器の外部に前記ＳＤＩ信号を送出するための出力端子と、前記ドライバと前記出力端子との間に設けられ、電気信号の通過と遮断または減衰とを切り替える切替手段と、前記切替手段を制御する制御手段とを備え、前記制御手段が、前記出力端子に重畳されたＤＣ電圧が安定したと判定してから、前記切替手段の動作を電気信号の遮断または減衰から電気信号の通過に変更させる構成（第１の構成）とする。
【００１２】
このような構成によると、バッファアンプやハイパスフィルタを追加することなく、ラッシュ電圧が前記ＳＤＩ信号処理回路に到達することを阻止することができるので、安価でかつ小型化が可能な回路構成で、活栓接続されても前記ＳＤＩ信号処理回路が破損しないようにすることができる。
【００１３】
また、上記第１の構成のＳＤＩ機器において、前記制御手段が、前記出力端子にＤＣ電圧が重畳されたことを検出してから所定の時間が経過した時点で、前記出力端子に重畳されたＤＣ電圧が安定したと判定する構成（第２の構成）にすることが望ましい。
【００１４】
このような構成によると、前記出力端子に重畳されたＤＣ電圧が安定したか否かの判定が容易になる。
【００１５】
また、上記第１または第２の構成のＳＤＩ機器において、例えば、前記切替手段が、電気信号の通過と遮断とを切り替える開閉スイッチである構成（第３の構成）であってもよく、あるいは、前記切替手段が、電気信号の通過と減衰とを切り替える可変抵抗素子である構成（第４の構成）であってもよい。
【００１６】
また、上記第１〜第４のいずれかの構成のＳＤＩ機器において、前記ＳＤＩ機器の外部から前記ＳＤＩ信号を受け取るためのＳＤＩ信号処理回路であるレシーバと、前記ＳＤＩ機器の外部から前記ＳＤＩ信号を受け取るための入力端子と、前記切替手段とは別の切替手段とを備え、前記別の切替手段が、前記レシーバと前記入力端子との間に設けられ、電気信号の通過と遮断または減衰とを切り替え、前記制御手段が、前記出力端子及び前記入力端子に重畳されたＤＣ電圧が安定したと判定してから、前記切替手段及び前記別の切替手段の動作を電気信号の遮断または減衰から電気信号の通過に変更させる構成（第５の構成）としてもよい。
【００１７】
このような構成によると、前記入力端子に印加し得るサージ電圧に対する保護が可能になる。
【００１８】
また、上記目的を達成するために本発明に係るＳＤＩ信号伝送システムは、上記第１〜第５のいずれかの構成のＳＤＩ機器を少なくとも一つ備え、ＳＤＩ信号電送ラインの少なくとも一部にＤＣ電力が重畳される構成とする。
【発明の効果】
【００１９】
本発明によると、活栓接続されても破損のおそれがない安価でかつ小型化が可能なＳＤＩ機器及びそれを備えたＳＤＩ信号伝送システムを実現することができる。
【図面の簡単な説明】
【００２０】
【図１】本発明の第１実施形態に係るＳＤＩ信号伝送システムの構成を示す図である。
【図２】本発明の第２実施形態に係るＳＤＩ信号伝送システムの構成を示す図である。
【発明を実施するための形態】
【００２１】
本発明の実施形態について図面を参照して以下に説明する。図１は、本発明の第１実施形態に係るＳＤＩ信号伝送システムの構成を示す図である。本発明の第１実施形態に係るＳＤＩ信号伝送システムは、撮像機器１と、ＳＤＩ中継器２と、電源挿入器３と、電源装置４と、表示モニター５と、同軸ケーブル６〜８と、電源ケーブル９とを備えている。
【００２２】
撮像機器１は、撮像によって取得した撮像信号をＳＤＩ信号（ＳＤ−ＳＤＩ信号又はＨＤ−ＳＤＩ信号）に変換して出力する。撮像機器１から出力されたＳＤＩ信号は、同軸ケーブル６を経由してＳＤＩ中継器２に伝送される。
【００２３】
ＳＤＩ中継器２は、ＳＤＩ信号の長距離伝送を可能にするための機器であって、同軸ケーブル６から受け取ったＳＤＩ信号を補正して同軸ケーブル７に出力し、ＳＤＩ信号伝送ラインで発生するＳＤＩ信号の減衰や歪みを補償する。また、ＳＤＩ中継器２は、同軸ケーブル７に重畳されているＤＣ電力を搬送して同軸ケーブル６に重畳する。
【００２４】
電源挿入器３は、電源ケーブル９を介して接続されている電源装置４から出力されるＤＣ電力をＳＤＩ信号伝送ラインの一部である同軸ケーブル７に重畳する。また、電源挿入器３は、同軸ケーブル７から受け取ったＳＤＩ信号を同軸ケーブル８を介して表示モニター５に伝送する。電源挿入器３の構成としては、例えば図１に示すように、同軸ケーブル７が接続される同軸ケーブル接続端子３０と、同軸ケーブル８が接続される同軸ケーブル接続端子３１と、電源ケーブル９が接続される電源入力端子３２と、同軸ケーブル接続端子３０−同軸ケーブル接続端子３１間に配置される直流阻止用コンデンサ３３と、同軸ケーブル接続端子３０と直流阻止用コンデンサ３３との接続点３４−電源入力端子３２間に配置される高周波阻止用コイル３５と、電源入力端子３２と高周波阻止用コイル３５との接続点３６−グランド電位間に配置される高周波接地用コンデンサＣ４とを備える構成を挙げることができる。
【００２５】
電源装置４は、ＤＣ電力を出力する電源装置である。電源装置４の構成としては、例えば商用ＡＣ電力をＤＣ電力に変換する電力変換回路を備える構成を挙げることができる。
【００２６】
表示モニター５は、伝送されてきたＳＤＩ信号に基づく映像を表示する。
【００２７】
撮像機器１はＳＤＩ信号を機器の外部に出力するＳＤＩ機器であり、ＳＤＩ中継器２は機器の外部から供給されるＳＤＩ信号を受け取るとともに、ＳＤＩ信号を機器の外部に出力するＳＤＩ機器であり、表示モニター５は機器の外部から供給されるＳＤＩ信号を受け取るＳＤＩ機器である。
【００２８】
次に、本発明に係るＳＤＩ機器の一例である撮像機器１の構成について図１を参照して説明する。撮像機器１は、撮像を実行して撮像信号を出力する撮像部１０と、撮像部１０から出力される撮像信号をＳＤＩ信号に変換する信号変換部１１と、ドライバ１２と、開閉スイッチＳＷ１と、直流阻止用コンデンサ１３と、同軸ケーブル６が接続される同軸ケーブル接続端子１４と、高周波阻止用コイル１５と、伝送路接続制御回路１６と、高周波接地用コンデンサＣ１とを備えている。ドライバ１２は請求項に記載されている「ドライバ」の一例であり、同軸ケーブル接続端子１４は請求項に記載されている「出力端子」の一例であり、開閉スイッチＳＷ１は請求項に記載されている「切替手段」の一例であり、伝送路接続制御回路１６は請求項に記載されている「制御手段」の一例である。また、請求項に記載されている「電気信号」にはＳＤＩ信号だけでなく、ラッシュ電圧、サージ電圧等のノイズ信号も含まれる。開閉スイッチＳＷ１は開状態のときに「電気信号」を遮断し閉状態のときに「電気信号」を通過させる。後述する開閉スイッチＳＷ２及びＳＷ３も同様である。なお、図１では省略されているが、開閉スイッチＳＷ１の後段に、撮像機器１の出力インピーダンスを同軸ケーブル６のインピーダンス（７５Ω）にマッチングさせるマッチング回路を設け、直流阻止用コンデンサ１３が当該マッチング回路に含まれるようにするとよい。
【００２９】
撮像部１０の出力端子は信号変換部１１の入力端子に接続され、信号変換部１１の出力端子はドライバ１２の入力端子に接続されている。ドライバ１２の出力端子は開閉スイッチＳＷ１を介して直流阻止用コンデンサ１３の一端に接続され、直流阻止用コンデンサ１３の他端は高周波阻止用コイル１５の一端及び同軸ケーブル接続端子１４に接続されている。高周波阻止用コイル１５の他端は、ＤＣ電力搬送ラインを介して撮像部１０及び伝送路接続制御回路１６に接続されている。高周波阻止用コイル１５とＤＣ電力搬送ラインとの接続点は高周波接地用コンデンサＣ１を介してグランド電位に接続されている。なお、撮像部１０は、ＤＣ電力搬送ラインから供給されたＤＣ電力を電源として利用する。
【００３０】
伝送路接続制御回路１６は、同軸ケーブル接続端子１４に重畳されたＤＣ電圧が安定したか否かの判定を行っている。伝送路接続制御回路１６は、タイマ機能を有する制御回路であって、高周波阻止用コイル１５と撮像部１０との間のＤＣ電力搬送ラインの電圧を検出することで、同軸ケーブル接続端子１４にＤＣ電圧が重畳されたか否かを検出しており、同軸ケーブル接続端子１４にＤＣ電圧が重畳されたことを検出してから所定の時間が経過した時点で、同軸ケーブル接続端子１４に重畳されたＤＣ電圧が安定したと判定し、開閉スイッチＳＷ１を開状態から閉状態に切り替え、その後、同軸ケーブル接続端子１４へのＤＣ電圧の重畳が途絶えるまで、開閉スイッチＳＷ１の閉状態を維持する。上記所定の時間は、同軸ケーブル接続端子１４にＤＣ電圧が重畳されてからラッシュ電圧が収まる迄の想定時間よりも長く設定すればよく、例えばｍｓオーダーの任意の値に設定すればよい。
【００３１】
同軸ケーブル６及び７の活栓接続によってラッシュ電圧が発生していて、同軸ケーブル接続端子１４に重畳されたＤＣ電圧が安定していない期間は、開閉スイッチＳＷ１を開状態にしているので、ラッシュ電圧がドライバ１２に到達することを防止できる。そして、同軸ケーブル接続端子１４に重畳されたＤＣ電圧が安定してから後は、開閉スイッチＳＷ１を閉状態にしているので、ＳＤＩ信号をドライバ１２を用いて同軸ケーブル接続端子１４から同軸ケーブル６に出力することができる。
【００３２】
上記構成の撮像機器１は、開閉スイッチＳＷ１と単純な制御を行う伝送路接続制御回路１６との追加のみでラッシュ電圧を阻止しているので、安価でかつ小型化が可能な回路構成でラッシュ電圧を阻止している。すなわち、上記構成の撮像機器１は、活栓接続されても破損のおそれがない安価でかつ小型化が可能なＳＤＩ機器である。
【００３３】
次に、本発明に係るＳＤＩ機器の他の一例であるＳＤＩ中継器２の構成について図１を参照して説明する。ＳＤＩ中継器２は、同軸ケーブル６が接続される同軸ケーブル接続端子２０と、直流阻止用コンデンサ２１と、開閉スイッチＳＷ２と、ケーブルでの伝送によって生じるＳＤＩ信号の減衰を補償するイコライザ機能を有するレシーバ２２と、ケーブルでの伝送によって生じるＳＤＩ信号の歪みを補償するリクロッキング機能を有するリクロッカー２３と、ドライバ２４と、開閉スイッチＳＷ３と、直流阻止用コンデンサ２５と、同軸ケーブル７が接続される同軸ケーブル接続端子２６と、高周波阻止用コイル２７及び２８と、伝送路接続制御回路２９と、高周波接地用コンデンサＣ２及びＣ３とを備えている。ドライバ２４は請求項に記載されている「ドライバ」の一例であり、同軸ケーブル接続端子２６は請求項に記載されている「出力端子」の一例であり、開閉スイッチＳＷ３は請求項に記載されている「切替手段」の一例であり、伝送路接続制御回路２９は請求項に記載されている「制御手段」の一例であり、同軸ケーブル接続端子２０は請求項に記載されている「入力端子」の一例であり、開閉スイッチＳＷ２は請求項に記載されている「別の切替手段」の一例である。なお、図１では省略されているが、開閉スイッチＳＷ３の後段に、ＳＤＩ中継器２の出力インピーダンスを同軸ケーブル７のインピーダンス（７５Ω）にマッチングさせるマッチング回路を設け、直流阻止用コンデンサ２５が当該マッチング回路に含まれるようにするとよい。
【００３４】
同軸ケーブル接続端子２０は、高周波阻止用コイル２８の一端及び直流阻止用コンデンサ２１の一端に接続されている。高周波阻止用コイル２８の他端は、ＤＣ電力搬送ライン及び高周波阻止用コイル２７を介して同軸ケーブル接続端子２６に接続されている。また、ＤＣ電力搬送ラインには伝送路接続制御回路２９が接続されている。高周波阻止用コイル２８とＤＣ電力搬送ラインとの接続点は高周波接地用コンデンサＣ２を介してグランド電位に接続され、高周波阻止用コイル２７とＤＣ電力搬送ラインとの接続点は高周波接地用コンデンサＣ３を介してグランド電位に接続されている。
【００３５】
直流阻止用コンデンサ２１の他端は開閉スイッチＳＷ２を介してレシーバ２２の入力端子に接続され、レシーバ２２の出力端子はリクロッカー２３の入力端子に接続され、リクロッカー２３の出力端子はドライバ２４の入力端子に接続されている。
【００３６】
ドライバ２４の出力端子は、開閉スイッチＳＷ３を介し、さらに直流阻止用コンデンサ２５を介して同軸ケーブル接続端子２６に接続されている。
【００３７】
上記構成のＳＤＩ中継器２は、同軸ケーブル７に重畳されているＤＣ電力を、同軸ケーブル接続端子２６、高周波阻止用コイル２７、ＤＣ電力搬送ライン、高周波阻止用コイル２８、及び同軸ケーブル接続端子２０の経路で搬送して同軸ケーブル６に重畳する。
【００３８】
また、上記構成のＳＤＩ中継器２は、開閉スイッチＳＷ２及びＳＷ３がそれぞれ閉状態であるとき、同軸ケーブル６から同軸ケーブル接続端子２０で受け取ったＳＤＩ信号を、レシーバ２２で減衰を補償し、リクロッカー２３で歪みを補償したのち、ドライバ２４を用いて同軸ケーブル接続端子２６から同軸ケーブル７に出力する。
【００３９】
伝送路接続制御回路２９は、同軸ケーブル接続端子２０及び２６に重畳されたＤＣ電圧が安定したか否かの判定を行っている。伝送路接続制御回路２９は、タイマ機能を有する制御回路であって、高周波阻止用コイル２７と高周波阻止用コイル２８との間のＤＣ電力搬送ラインの電圧を検出することで、同軸ケーブル接続端子２０及び２６にＤＣ電圧が重畳されたか否かを検出しており、同軸ケーブル接続端子２０及び２６にＤＣ電圧が重畳されたことを検出してから所定の時間が経過した時点で、同軸ケーブル接続端子２０及び２６に重畳されたＤＣ電圧が安定したと判定し、開閉スイッチＳＷ２及びＳＷ３を開状態から閉状態に切り替え、その後、同軸ケーブル接続端子２０及び２６へのＤＣ電圧の重畳が途絶えるまで、開閉スイッチＳＷ２及びＳＷ３の閉状態を維持する。上記所定の時間は、同軸ケーブル接続端子２０及び２６にＤＣ電圧が重畳されてからラッシュ電圧が収まる迄の想定時間よりも長く設定すればよく、例えばｍｓオーダーの任意の値に設定すればよい。
【００４０】
同軸ケーブル７の活栓接続によってラッシュ電圧が発生していて、同軸ケーブル接続端子２０及び２６に重畳されたＤＣ電圧が安定していない期間は、開閉スイッチＳＷ２及びＳＷ３を開状態にしているので、サージ電圧がレシーバ２２に到達すること及びラッシュ電圧がドライバ２４に到達することを防止できる。そして、同軸ケーブル接続端子２０及び２６に重畳されたＤＣ電圧が安定してから後は、開閉スイッチＳＷ２及びＳＷ３を閉状態にしているので、ＳＤＩ信号をドライバ２４を用いて同軸ケーブル接続端子２６から同軸ケーブル７に出力することができる。
【００４１】
上記構成のＳＤＩ中継器２は、開閉スイッチＳＷ３と単純な制御を行う伝送路接続制御回路２９との追加のみでラッシュ電圧を阻止しているので、安価でかつ小型化が可能な回路構成でラッシュ電圧を阻止している。すなわち、上記構成のＳＤＩ中継器２は、活栓接続されても破損のおそれがない安価でかつ小型化が可能なＳＤＩ機器である。さらに、上記構成のＳＤＩ中継器２は、開閉スイッチＳＷ２の追加によって同軸ケーブル接続端子２０に印加し得るサージ電圧に対する保護も行っている。
【００４２】
次に、本発明の第２実施形態に係るＳＤＩ信号伝送システムについて図２を参照して説明する。なお、図２において、図１と同一の部分には同一の符号を付し、詳細な説明を省略する。
【００４３】
本発明の第２実施形態に係るＳＤＩ信号伝送システムが本発明の第１実施形態に係るＳＤＩ信号伝送システムと相違する点は、開閉スイッチＳＷ１〜ＳＷ３の代わりに可変抵抗素子ＶＲ１〜ＶＲ３を用い、伝送路接続制御回路１６及び２９の代わりに伝送路接続制御回路１６’及び２９’を用いている点である。可変抵抗素子ＶＲ１〜ＶＲ３も、開閉スイッチＳＷ１〜ＳＷ３と同様に、請求項に記載されている「切替手段」の一例である。可変抵抗素子ＶＲ１〜ＶＲ３は抵抗値が大きい状態のときに「電気信号」を減衰し抵抗値が小さい状態のときに「電気信号」を通過させる。
【００４４】
伝送路接続制御回路１６’は、同軸ケーブル接続端子１４に重畳されたＤＣ電圧が安定したか否かの判定を行っている。伝送路接続制御回路１６’は、タイマ機能を有する制御回路であって、高周波阻止用コイル１５と撮像部１０との間のＤＣ電力搬送ラインの電圧を検出することで、同軸ケーブル接続端子１４にＤＣ電圧が重畳されたか否かを検出しており、同軸ケーブル接続端子１４にＤＣ電圧が重畳されたことを検出してから所定の時間が経過した時点で、同軸ケーブル接続端子１４に重畳されたＤＣ電圧が安定したと判定し、可変抵抗素子ＶＲ１を抵抗値が大きい状態から抵抗値が小さい状態に切り替え、その後、同軸ケーブル接続端子１４へのＤＣ電圧の重畳が途絶えるまで、可変抵抗素子ＶＲ１の抵抗値が小さい状態を維持する。なお、可変抵抗素子ＶＲ１の抵抗値が大きい状態から抵抗値が小さい状態への切り換えは、徐々に切り替えるものであってもよく、一気に切り替えるものであってもよい。上記所定の時間は、同軸ケーブル接続端子１４にＤＣ電圧が重畳されてからラッシュ電圧が収まる迄の想定時間よりも長く設定すればよく、例えばｍｓオーダーの任意の値に設定すればよい。
【００４５】
同軸ケーブル６及び７の活栓接続によってラッシュ電圧が発生していて、同軸ケーブル接続端子１４に重畳されたＤＣ電圧が安定していない期間は、可変抵抗素子ＶＲ１を抵抗値が大きい状態にしているので、ラッシュ電圧がドライバ１２に到達することを防止できる。そして、同軸ケーブル接続端子１４に重畳されたＤＣ電圧が安定してから後は、可変抵抗素子ＶＲ１を抵抗値が小さい状態にしているので、ＳＤＩ信号をドライバ１２を用いて同軸ケーブル接続端子１４から同軸ケーブル６に出力することができる。
【００４６】
図２に示す構成の撮像機器１は、可変抵抗素子ＶＲ１と単純な制御を行う伝送路接続制御回路１６’との追加のみでラッシュ電圧を阻止しているので、安価でかつ小型化が可能な回路構成でラッシュ電圧を阻止している。すなわち、図２に示す構成の撮像機器１は、図１に示す構成の撮像機器１と同様に、活栓接続されても破損のおそれがない安価でかつ小型化が可能なＳＤＩ機器である。
【００４７】
伝送路接続制御回路２９’は、同軸ケーブル接続端子２０及び２６に重畳されたＤＣ電圧が安定したか否かの判定を行っている。伝送路接続制御回路２９’は、タイマ機能を有する制御回路であって、高周波阻止用コイル２７と高周波阻止用コイル２８との間のＤＣ電力搬送ラインの電圧を検出することで、同軸ケーブル接続端子２０及び２６にＤＣ電圧が重畳されたか否かを検出しており、同軸ケーブル接続端子２０及び２６にＤＣ電圧が重畳されたことを検出してから所定の時間が経過した時点で、同軸ケーブル接続端子２０及び２６に重畳されたＤＣ電圧が安定したと判定し、可変抵抗素子ＶＲ２及びＶＲ３を抵抗値が大きい状態から抵抗値が小さい状態に切り替え、その後、同軸ケーブル接続端子２０及び２６へのＤＣ電圧の重畳が途絶えるまで、可変抵抗素子ＶＲ２及びＶＲ３の抵抗値が小さい状態を維持する。上記所定の時間は、同軸ケーブル接続端子２０及び２６にＤＣ電圧が重畳されてからラッシュ電圧が収まる迄の想定時間よりも長く設定すればよく、例えばｍｓオーダーの任意の値に設定すればよい。
【００４８】
同軸ケーブル７の活栓接続によってラッシュ電圧が発生していて、同軸ケーブル接続端子２０及び２６に重畳されたＤＣ電圧が安定していない期間は、可変抵抗素子ＶＲ２及びＶＲ３を抵抗値が大きい状態にしているので、サージ電圧がレシーバ２２に到達すること及びラッシュ電圧がドライバ２４に到達することを防止できる。そして、同軸ケーブル接続端子２０及び２６に重畳されたＤＣ電圧が安定してから後は、可変抵抗素子ＶＲ２及びＶＲ３を抵抗値が小さい状態にしているので、ＳＤＩ信号をドライバ２４を用いて同軸ケーブル接続端子２６から同軸ケーブル７に出力することができる。
【００４９】
図２に示す構成のＳＤＩ中継器２は、可変抵抗素子ＶＲ２及びＶＲ３と単純な制御を行う伝送路接続制御回路２９’との追加のみでラッシュ電圧を阻止しているので、安価でかつ小型化が可能な回路構成でラッシュ電圧を阻止している。すなわち、図２に示す構成のＳＤＩ中継器２は、図１に示す構成のＳＤＩ中継器２と同様に、活栓接続されても破損のおそれがない安価でかつ小型化が可能なＳＤＩ機器である。さらに、図２に示す構成のＳＤＩ中継器２は、可変抵抗素子ＶＲ２の追加によって同軸ケーブル接続端子２０に印加し得るサージ電圧に対する保護も行っている。
【００５０】
なお、上述した第１実施形態及び第２実施形態では、同軸ケーブル接続端子にＤＣ電圧が重畳されたか否かを検出しており、当該同軸ケーブル接続端子にＤＣ電圧が重畳されたことを検出してから所定の時間が経過した時点で、当該同軸ケーブル接続端子に重畳されたＤＣ電圧が安定したと判定しているが、他の判定方法を用いてもよい。例えば、開閉スイッチまたは可変抵抗素子と直流素子用コンデンサとの接続点にスイッチの一端を接続し、当該スイッチの他端を負荷の一端に接続し、当該負荷の他端をグランド電位に接続し、当該スイッチを閉状態にして開閉スイッチまたは可変抵抗素子と直流素子用コンデンサとの接続点電圧を検出して同軸ケーブル接続端子にＤＣ電圧が重畳されたか否かを検出し、当該同軸ケーブル接続端子にＤＣ電圧が重畳されたことを検出してから開閉スイッチまたは可変抵抗素子と直流素子用コンデンサとの接続点電圧が所定の範囲内に収まったことを検出した時点で、当該同軸ケーブル接続端子に重畳されたＤＣ電圧が安定したと判定し、当該スイッチを開状態にしてもよい。
【００５１】
また、上述した第１実施形態では、撮像機器１、ＳＤＩ機器２ともに本発明に係るＳＤＩ機器であったが、いずれか一方のみが本発明に係るＳＤＩ機器であってもよい。例えば、撮像機器１を図１に示す構成から開閉スイッチＳＷ１及び伝送路接続制御回路１６を取り除いた構成にし、ＳＤＩ中継器２を図１に示す構成のままにしてもよく、逆に、撮像機器１を図１に示す構成のままにし、ＳＤＩ中継器２を図１に示す構成から開閉スイッチＳＷ２及びＳＷ３並びに伝送路接続制御回路２９を取り除いた構成にしてもよい。
【００５２】
また、上述した第２実施形態では、撮像機器１、ＳＤＩ機器２ともに本発明に係るＳＤＩ機器であったが、いずれか一方のみが本発明に係るＳＤＩ機器であってもよい。例えば、撮像機器１を図２に示す構成から可変抵抗素子ＶＲ１及び伝送路接続制御回路１６’を取り除いた構成にし、ＳＤＩ中継器２を図２に示す構成のままにしてもよく、逆に、撮像機器１を図２に示す構成のままにし、ＳＤＩ中継器２を図２に示す構成から可変抵抗素子ＶＲ２及びＶＲ３並びに伝送路接続制御回路２９’を取り除いた構成にしてもよい。
【００５３】
また、上述した第１及び第２実施形態では、撮像機器１がＤＣ電力重畳対応型撮像機器であったが、撮像機器と電源分離器とを別個の機器にしてもよい。例えば、図１及び図２に示す撮像機器１中の、直流阻止用コンデンサ１３及び高周波阻止用コイル１５を電源分離器として撮像機器から分離すればよい。
【００５４】
撮像機器と電源分離器とを別個の機器にした形態では、撮像機器内部ではＳＤＩ信号伝送ラインとＤＣ電力搬送ラインとは分離されているが、活栓接続が行われた場合、ラッシュ電圧が電源分離器の直流阻止用コンデンサを通過して撮像機器のＳＤＩ出力端子に到達するおそれがあるため、ＤＣ電力重畳対応型撮像機器でない撮像機器に対しても本発明を適用する意義は十分にある。
【符号の説明】
【００５５】
１  撮像機器
２  ＳＤＩ中継器
３  電源挿入器
４  電源装置
５  表示モニター
６〜８  同軸ケーブル
９  電源ケーブル
１０  撮像部
１１  信号変換部
１２、２４  ドライバ
１３、２１、２５、３３  直流阻止用コンデンサ
１４、２０、２６、３０、３１  同軸ケーブル接続端子
１５、２７、２８、３５  高周波阻止用コイル
１６、１６’、２９、２９’  伝送路接続制御回路
２２  レシーバ
２３  リクロッカー
３２  電源入力端子
３４、３６  接続点
Ｃ１〜Ｃ４  高周波接地用コンデンサ
ＳＷ１〜ＳＷ３  開閉スイッチ
ＶＲ１〜ＶＲ３  可変抵抗素子
【図１】
0005968675.tif 000002
【図２】
0005968675.tif 000003